(57)【要約】【課題】床・壁面等に長く真っ直ぐ貼れ、掲示物の角に何枚も細切れにして貼る等の作業を連続的にスムーズに行う分割貼りもできるテープカッターを提供する。【解決手段】外郭を成す貼り付け機構とその枠内に納まるカッティング機構とで構成され、両機構は共に形設した同様の軸支孔を介してネジ軸支し、カッティング機構は貼り付け機構内で自在に上下動を成し、テープ押さえ板裏面に一端を固定した引きバネのもう一端はカッティング刃台のバネ接続孔に接続し、貼り付け機構に装着する分割貼りガイド部は分割取り付け基盤と分割ガイド板とストッパー部とで構成されることを特徴とする分割貼りもできるテープカッター。【選択図】図４
2017036147.tif 000002
【特許請求の範囲】
【請求項１】
大きくは、外郭を成す貼り付け機構とその枠内にすっぽり納まるカッティング機構とで構成されるところのテープカッターであるが，貼り付け機構は，底板とそれを両側から挟む形で立ち上がる相互対称的な２枚の略三角形状の貼り付け機構側板から成る枠体であり、この枠体は略三角形状の頂点側を底板に接地させて立設され、頂点と対向する最長辺が斜辺を成し、斜辺の最高位点から斜降して最低位点に至る方向が、頂点から斜辺最低位点に向う底辺方向と合流し、これがテープを取り出していく前方を成し、底辺の半後方の限定域を底板が占め、半前方域は抜け底で開口状態にあり、左右の貼り付け機構側板に挟まれた空間は、この底部開口域と共に前方後方にも開放されており、この空間にすっぽり嵌る形でカッティング機構が納まることになるのだが、貼り付け機構側板の左右両前端は隅切りして数センチ高さの前端面を成し、前端面中央から後方へ底辺に沿って数センチ長さで細長く切り込みを入れて分割貼りガイド部取り付け孔を設け、分割貼りガイド部取り付け孔の入り口（即ち、切り込み口）のすぐ手前上に左右前端部を繋ぐように、細円筒状のテープ留め軸を設け、テープ留め軸から後方へ分割貼りガイド部取り付け孔の最奥を過ぎて底板前端の手前に、貼り付け機構側板に挟まれて軸支される形で貼り付けローラーが設けられるが、この場合、ローラーの表面（貼り付け面）が底板より下方へ数ミリ出っ張るように形設されるのであり、貼り付けローラーの後方斜めすぐ上に、貼り付けローラーと僅かな間隔で平行するように細いカッティング刃受け軸を設け、貼り付け機構側板斜辺の最高位点近くの端域に左右を繋ぎ合わせるようにテープ押さえ板軸を設け、このテープ押さえ板軸に一端を通して支着された数ミリ厚さのテープ押さえ板を設けるのだが、テープ押さえ板は、カッティング機構ごと貼り付け機構に嵌め込み設置されるガムテープ等のテープ面に上からのせた時、その先端が、ガムテープの芯を通る垂直線よりも幾分前方に出る程度の長さで形設され、裏側（下面）根元・テープ押さえ板軸近くに一端を固定した引きバネを設け、テープ押さえ板軸の位置から斜辺を降り下り、テープ留め軸との中間辺りの縁沿いに貼り付け機構側板とカッティング機構側板とをぴったりネジ軸支するための軸支孔を設けるというものであるが、カッティング機構は、主要にカッティング刃台とそれを両側から挟む形で立ち上がる２枚のカッティング機構側板から成り、カッティング機構側板は、略菱形形状で、２枚は相互対称的に形成され、カッティング機構全体が貼り付け機構の内側に納め設置された時、貼り付け機構側板の縁に沿いながらそれよりも少し上方に頭を出すような形となり、貼り付け機構側板の軸支孔とぴったり符号する位置に同じ軸支孔を設け、ネジ軸支により、カッティング機構は貼り付け機構の内でシーソーのごとく互い違いの上下動を自在に成し、この軸支孔の上方位置に、縁から下方へ数ミリえぐってテープホルダー軸受け溝を設け、前端からこの辺りまで斜昇してきたカッティング機構側板の斜辺縁は、丁度この地点から下方へ折れて水平状になり、底辺側縁も丁度この地点の下方位置から上方へなだらかに折れて、上下に狭まりつつ、程なく後端に達し、後端部において左右を橋渡しする形で把持部接続板によってしっかり接合固定され、この把持部接続板の左右に取り付ける形で把持部がおのおの設けられ、２枚のカッティング機構側板に挟まれた空間は、底部のカッティング刃台側を除き、前後上方に解放されており、設置されたカッティング機構の前端は貼り付け機構のテープ留め軸と貼り付けローラーとの中間点のすぐ上にくるのであり、ここにカッティング機構側板の左右前端を橋渡しする形で軸支された２つのテープ送りローラーがローラー面を殆ど接触するかしないかぐらいの・間にテープを挟み通して送り出せる形で・前後に並設されるが、このテープ送りローラーの表面はテープの粘着面に接着しないシリコン材等の材質で形成されるのであり、又、このテープ送りローラーの両端側・カッティング機構側板との間には送りローラー留め管を設けるが、後方のテープ送りローラーはこのローラー留め管とテープ送りローラーとの間にワッシャー形状のテープ送りガイドを更に設けるのであり、このテープ送りローラーのすぐ後方・数ミリ下に尖角カッティング刃の尖端が位置しており、尖角カッティング刃を先端に持つカッティング刃台が、カッティング機構側板の底辺に沿って後方へ伸びて底面域の後端までの一定領域を占める形で設置されるのであり、カッティング刃台は、カッティング機構側板に挟まれた間隔に相応する幅の長方形板の短手の一方側の端に尖角カッティング刃が設置されて前端を成し、短手の他方側・即ち後端の数センチ域を直角に折り曲げ立てて刃台取り付け部を成して、幅広Ｌ字状に形成されるが、刃台取り付け部において、側面根元辺りにカッティング刃台軸孔を設け、後面底部から数センチ長さ・数ミリ幅で延設されたバネ接続板の末端辺りにバネ接続孔を設け、ここに引きバネが引っ掛けられるのであり、カッティング刃台は側面部だけが前端を越えて尖角カッティング刃の左右を挟む形で尖角カッティング刃の先端の位置まで延伸して形設されるが、このように形成されたカッティング刃台がカッティング刃台軸孔を介してカッティング機構側板に軸支されて自在に回転を成し、分割貼りガイド部取り付け孔に装着されて使用される分割貼りガイド部は、取り付けられた時に前方正面から見て横幅十数センチ・奥行数センチの薄い分割板取り付け基盤の片面中央部に、長手辺面に直交し・短手方向（前後）に数センチはみ出す形で・分割ガイド板を形設し、左右の短手辺を少し分厚く盛り上げてストッパー部を形成することを特徴とする分割貼りもできるテープカッター。
【発明の詳細な説明】
【技術分野】
【０００１】  本発明は連続してテープを貼り付けてカット出来る、セロテープ仕様とガムテープ仕様のテープカッターである。尚且つ、ガムテープ仕様はダンボール箱などの角を境（中心）にして角側面にテープ幅を分割して貼ることが出来る。そのようなセロテープ仕様とガムテープ仕様の分割貼りもできるテープカッターに関するものである。
【背景技術】
【０００２】  従来、テープカッターはあるが，ディスペンサーにカッター刃を設けただけのもので、貼り付けてからテープ面をカッター刃に圧着しカット出来るだけのものである。
【発明の概要】
【発明が解決しようとする課題】
【０００３】  ガムテープ等を、床面・壁面等に真っ直ぐ長く貼り付ける事は難しい。ダンボール箱等の角を境（中心）にして、角両側面にテープ幅を分割（２等分）して貼る様な時、均等に貼れず偏ってしまうことが多い。壁面等に掲示物の四隅をセロテープで留める時は、テープを短くカットして用意しなければならず面倒である。又、テープをカット刃でカットした後のテープ先端片はカット刃より先に出ていることはなく、次ぎに作業をする時は、またテープを引き出さなければならない。
本発明は、以上の問題点を解決するためになされたものである。
【課題を解決するための手段】
【０００４】  大きくは、外郭を成す貼り付け機構とその枠内にすっぽり納まるカッティング機構とで構成されるところのテープカッターである。
貼り付け機構は、底板とそれを両側から挟む形で立ち上がる相互対称的な２枚の略三角形状の貼り付け機構側板から成る枠体である。貼り付け機構側板は、略三角形状の頂点側を底板に接地させて立設され、頂点と対向する最長辺が斜辺を成し、斜辺の最高位点から斜降して最低位点に至る方向が、頂点から斜辺最低位点に向う底辺方向と合流し、これがテープを取り出していく前方を成す。
底辺の半後方の限定域を底板が占め、半前方域は抜け底で開口状態にあり、左右の貼り付け機構側板に挟まれた空間は、この底部開口域と共に前方後方にも開放されており、この空間にすっぽり嵌る形でカッティング機構が納まることになる。
貼り付け機構側板の左右両前端は隅切りして数センチ高さの前端面を成し、前端面中央から後方へ底辺に沿って数センチ長さで細長く切り込みを入れて分割貼りガイド部取付け孔を設ける。分割貼りガイド部取付け孔の入り口（即ち、切り込み口）のすぐ手前上に、左右前端部を繋ぐように、細円筒状のテープ留め軸を設ける。テープ留め軸から後方へ分割貼りガイド部取付け孔の最奥を過ぎて底板前端の手前に、貼り付け機構側板に挟まれて軸支される形で貼り付けローラーが設けられるが、この場合、ローラーの表面（貼り付け面）が底板より下方へ数ミリ出っ張るように形設される。貼り付けローラーの後方斜めすぐ上に、貼り付けローラーと僅かな間隔で平行するように、細いカッティング刃受け軸を設ける。貼り付け機構側板斜辺の最高位点近くの端域に左右を繋ぎ合わせるようにテープ押さえ板軸を設け、このテープ押さえ板軸に一端を通して支着された数ミリ厚のテープ押さえ板を設けるのだが、テープ押さえ板は、カッティング機構ごと貼り付け機構に嵌め込み設置されるガムテープ等のテープ面に上からのせた時、その先端が、ガムテープの芯を通る垂直線よりも幾分前方に出る程度の長さで形設され、裏側（下面）根元・テープ押さえ板軸近くに一端を固定した引きバネを設ける。テープ押さえ板軸の位置から斜辺を下り、テープ留め軸との中間辺りの縁沿いに、貼り付け機構側板とカッティング機構側板とをぴったりネジ軸支するための軸支孔を設ける。
カッティング機構は、主要にカッティング刃台とそれを両側から挟む形で立ち上がる２枚のカッティング機構側板から成る。カッティング機構側板は、略菱形形状で、２枚は相互対称的に形成され、カッティング機構全体が貼り付け機構の内側に納め設置された時、貼り付け機構側板の縁に沿いながらそれよりも少し上方に頭を出すような形となり、貼り付け機構側板の軸支孔とぴったり符号する位置に同じ軸支孔を設け、ネジ軸支により、カッティング機構は貼り付け機構の内でシーソーのごとく互い違いの上下動を自在に成し、この軸支孔の上方位置に、縁から下方へ数ミリえぐってテープホルダー軸受け溝を設ける。前端からこの辺りまで斜昇してきたカッティング機構側板の斜辺縁は、丁度この地点から下方へ折れて水平状になり、底辺側縁も丁度この地点の下方位置から上方へなだらかに折れて、上下に狭まりつつほどなく後端に達し、後端部において左右を橋渡しする形で把持部接続板によってしっかり結合固定され、この把持部接続板の左右に取り付ける形で把持部がおのおの設けられる。
２枚のカッティング機構側板に挟まれた空間は、底部のカッティング刃台側を除き、前後上方に開放されている。設置されたカッティング機構の前端は貼り付け機構のテープ留め軸と貼り付けローラーとの中間点のすぐ上にくるのであり、ここにカッティング機構側板の左右前端を橋渡しする形で軸支された２つのテープ送りローラーが、ローラー面を殆ど接触するかしないかぐらいの・間にテープを挟み通して送り出せる形で・前後に並設されるが、このテープ送りローラーの表面はテープの粘着面に接着しないシリコン材等の材質で形成される。また、このテープ送りローラーの両端側・カッティング機構側板との間には送りローラー留め管を設けるが、後側のテープ送りローラーにはこの送りローラー留め管とテープ送りローラーとの間に、ワッシャー形状のテープ送りガイドを設ける。
テープ送りローラーのすぐ後方・数ミリ下に尖角カッティング刃の尖端が位置しており、尖角カッティング刃を先端に持つカッティング刃台が、カッティング機構側板の底辺に沿って後方に伸びて底面域の後端までの一定領域を占める形で設置される。カッティング刃台は、カッティング機構側板に挟まれた間隔に相応する幅の長方形板の短手の一方側端に尖角カッティング刃が設置されて前端を成し、短手の他方側・即ち後端の数センチ域を直角に折り曲げ立てて刃台取り付け部を成して、幅広Ｌ字状に形成される。刃台取り付け部において、側面根元辺りにカッティング刃台軸孔を設け、後面底部から数センチ長さ・数ミリ幅で延設されたバネ接続板の末端辺りにバネ接続孔を設け、ここに引きバネが引っ掛けられる。カッティング刃台は側面部だけが前端を越えて尖角カッティング刃の左右を挟む形で尖角カッティング刃の尖端の位置まで延伸して形設される。この様に形成されたカッティング刃台がカッティング刃台軸孔を介してカッティング機構側板に軸支されて自在に回転する。
分割貼りガイド部取付け孔に装着されて使用される分割貼りガイド部は、取り付けられた時に前方正面からみて横幅十数センチ・奥行数センチの薄い分割板取り付け基盤の片面中央部に長手辺面に直交し・短手方向（前後）に数センチはみ出す形で・分割ガイド板を形設し、左右の短手辺を少し分厚く盛り上げてストッパー部を形成する。
以上を特徴とする分割貼りもできるテープカッターである。
【発明の効果】
【０００５】  床面・壁面など作業がしにくいところでも簡単に真っ直ぐと貼り付けを行うことができ。又、ダンボール箱等の角を境（中心）にしてテープ幅を分割して角側面に貼り付ける分割貼りができる。そして、なによりも便利な事はカットした後のテープが、そのまますぐに貼り付けを行える長さを具えて（調整されて）カットされており、連続して（そのつどテープを引き出す必要が無い）作業が出来る。
【図面の簡単な説明】
【０００６】
【図１】  本発明にガムテープを装着した状態を示す斜視図
【図２】  本発明の一部である貼り付け機構の斜視図
【図３】  本発明の一部であるカッティング機構の斜視図
【図４】  本発明の外観斜視図
【図５】  本発明の一部である貼り付けローラーの斜視図
【図６】  本発明の一部であるカッティング刃台とその台に設けた尖角カッティング刃と刃台取り付け部を分かり易く示した斜視図
【図７】  本発明で使用するガムテープに嵌め込むテープホルダーにテープホルダー軸を軸支した状態を示す斜視図
【図８】  本発明で使用するガムテープにテープカバーを付けてテープホルダー軸に取り付けた状態を示す斜視図
【図９】  本発明の分割貼りガイド部の斜視図
【図１０】  本発明における分割貼りガイド部を装着した状態を下から見せたイメージ図
【図１１】  本発明を用いてガムテープを貼り付ける状態を示すイメージ図
【図１２】  本発明の使用においてガムテープをカッティングする瞬間の状態を示すイメージ図
【図１３】  本発明の使用においてガムテープをカッティングした後の状態を示すイメージ図
【図１４】  本発明の使用においてガムテープをカッティングしたあとのテープの残り状態を示すイメージ図
【図１５】  本発明を使用して分割貼り作業をするにあたり分割貼りガイド部を装着して使用する状態を示すイメージ図
【図１６】  本発明の使用にあたり、分割貼りガイド部を使用してダンボール箱角側面に貼り付けたガムテープの貼り具合を見せるためのイメージ図
【図１７】  本発明のセロテープ仕様におけるセロテープカッターの斜視図
【図１８】  本発明におけるセロテープカッターの貼り付け機構の構成をわかり易く開けて見せた斜視図
【図１９】  本発明におけるセロテープカッターのカッティング機構の構成をわかり易く開けて見せた斜視図
【図２０】  本発明におけるセロテープ仕様テープカッターの貼り付け機構にカッティング機構を嵌め込み納めた状態をわかり易く開けて見せた斜視図
【図２１】  本発明におけるセロテープ仕様テープカッターの一部である尖角カッティング二段刃の構成をわかり易くみせた斜視図。
【図２２】  本発明におけるセロテープ仕様テープカッターの一部であるセロテープ送りローラーとテープ留めシート付送りローラーを並設した状態とローラーにテープ留めシートを設けた様子をわかり易く見せた斜視図
【図２３】  本発明におけるセロテープ仕様の一例であるテープカッターの斜視図
【発明を実施するための形態】
【０００７】  以下、本発明の分割貼りもできるテープカッター（ガムテープ仕様）の実施の形態を説明する。
大きくは、外郭を成す貼り付け機構（１）とその枠内にすっぽり納まるカッティング機構（２）とで構成されるところのテープカッターである。
貼り付け機構（１）は、底板（３）とそれを両側から挟む形で立ち上がる相互対称的な２枚の略三角形状の貼り付け機構側板（４）から成る枠体である。貼り付け機構側板（４）は、略三角形状の頂点側を底板（３）に接地させて立設され、頂点と対向する最長辺が斜辺を成し、斜辺の最高位点から斜降して最低位点に至る方向が、頂点から斜辺最低位点に向う底辺方向と合流し、これがテープ（３３）を取り出してゆく前方を成す、底辺の半後方の限定域を底板（３）が占め、半前方域は抜け底で開口状態にあり、左右の貼り付け機構側板（４）に挟まれた空間は、この底部開口域と共に前方後方にも開放されており、この空間にすっぽり嵌る形でカッティング機構（２）が納まることになる。
貼り付け機構側板（４）の左右両前端は隅切りして数センチ高さの前端面を成し、前端面中央から後方に沿って数センチ長さで細長く切り込みを入れて分割貼りガイド部取付け孔（５）を設ける。分割貼りガイド部取付け孔（５）の入り口（即ち、切り込み口）のすぐ手前上に、左右前端部を繋ぐように、細円筒状のテープ留め軸（６）を設ける。テープ留め軸（６）から後方へ分割貼りガイド部取付け孔（５）の最奥を過ぎて底板（３）前端の手前に、貼り付け機構側板（４）に挟まれて軸支される形で貼り付けローラー（７）が設けられるが、この場合、貼り付けローラー（７）の表面（貼り付け面）が底板（３）より下方へ数ミリ出っ張るように形設される。
貼り付けローラー（７）の後方斜めすぐ上に、貼り付けローラー（７）と僅かな間隔で平行するように細いカッティング刃受け軸（８）を設ける。
貼り付け機構側板（４）斜辺の最高位点近くの端域に左右を繋ぎ合わせるようにテープ押さえ板軸（９）を設け、このテープ押さえ板軸（９）に一端を通して支着された数ミリ厚のテープ押さえ板（１０）を設けるのだが、テープ押さえ板（１０）は、カッティング機構（２）ごと貼り付け機構（１）に嵌め込み設置されるガムテープ（３３）等のテープ面に上からのせた時、その先端が、ガムテープ（３３）の芯を通る垂直線よりも幾分前方に出る程度の長さで形設され、裏側（下面）根元・テープ押さえ板軸（９）近くに一端を固定した引きバネ（１１）を設ける。テープ押さえ板軸（９）の位置から斜辺を降り下り、テープ留め軸（６）との中間縁沿いに、貼り付け機構側板（４）とカッティング機構側板（１３）とをネジ軸支するための軸支孔（１２）を設ける。
カッティング機構（２）は、主要にカッティング刃台（１４）とそれを両側から挟む形で立ち上がる２枚のカッティング機構側板（１３）から成る。カッティング機構側板（１３）は、略菱形形状で、２枚が相互対称的に形成され、カッティング機構（２）全体が貼り付け機構（１）の内側に納め設置された時、貼り付け機構側板（４）の縁に沿いながらそれよりも少し上方に頭を出すような形となり、貼り付け機構側板（４）の軸支孔（１２）とぴったり符号する位置に同じ軸支孔（１２）を設け、ネジ軸支により、カッティング機構（２）は貼り付け機構（１）内でシーソーのごとく互い違いの上下動を自在に成し、この軸支孔（１２）の上方位置に、縁から下方へ数ミリえぐってテープホルダー軸受け溝（１５）を設ける。前端からこの辺りまで斜昇してきたカッティング機構側板（１３）斜辺縁は、丁度この地点から下方へ折れて水平状になり、底辺側縁も丁度この地点の下方位置から上方へなだらかに折れて、上下に狭まりつつほどなく後端に達し、後端部において左右を橋渡しする形で把持部接続板（１６）によってしっかり結合固定され、この把持部接続板（１６）の左右に取り付ける形で把持部（１７）がおのおの設けられる。２枚のカッティング機構側板（１３）に挟まれた空間は、底部のカッティング刃台（１４）側を除き、前後上方に開放されている。設置されたカッティング機構（２）の前端は貼り付け機構（１）のテープ留め軸（６）と貼り付けローラー（７）との中間点のすぐ上にくるのであり、ここにカッティング機構側板（１３）の左右前端を橋渡しする形で軸支された２つのテープ送りローラー（１８）がローラー面を殆ど接触するかしないかぐらいの・間にテープを挟み通して送り出させる形で・前後に並設されるが、このテープ送りローラー（１８）の表面はテープの粘着面に接着しないシリコン材等の材質で形成される。また、このテープ送りローラー（１８）の両端側・カッティング機構側板（１３）との間には送りローラー留め管（１９）を設け、更に後方のテープ送りローラー（１８）と送りローラー留め管（１９）との間に、ワッシャー形状のテープ送りガイド（２０）を設ける。テープ送りローラー（１８）のすぐ後方・数ミリ下に尖角カッティング刃（２１）の尖端が位置しており、尖角カッティング刃（２１）を先端に持つカッティング刃台（１４）が、カッティング機構側板（１３）の底辺に沿って後方へ伸びて底面域の後端までの一定領域を占める形で設置される。カッティング刃台（１４）は、カッティング機構側板（１３）に挟まれた間隔に相応する幅の長方形板の短手の一方側端に尖角カッティング刃（２１）が設置されて前端を成し、短手の他方側・即ち後端の数センチ域を直角に折り曲げ立てて刃台取り付け部（２２）を成して、幅広Ｌ字状に形成される。刃台取り付け部（２２）において、側面根元辺にカッティング刃台軸孔（２３）を設け、後面底部から数センチ長さ・数ミリ幅で延設されたバネ接続板（２４）の末端辺にバネ接続孔（２５）を設け、ここに引きバネ（１１）が引っ掛けられる。
カッティング刃台（１４）は側面部だけが前端を越えて尖角カッティング刃（２１）の左右を挟む形でカッティング刃（２１）の尖端の位置まで延伸して形設される。この様に形成されたカッティング刃台（１４）がカッティング刃台軸孔（２３）を介してカッティング機構側板（１３）に軸支されて自在に回転する。
分割貼りガイド部取付け孔（５）に装着されて使用される分割貼りガイド部（２６）は取り付けられた時に前方正面から見て横幅十数センチ・奥行数センチの薄い分割板取り付け基盤（２７）の片面中央部に、長手辺と面に直交し・短手方向（前後）に数センチはみ出す形で・分割ガイド板（２８）を形設し、左右の短手辺を少し分厚く盛り上げてストッパー部（２９）を形成する。
本発明は、以上の様な構成であり、以下、その実施の形態を説明する。
本発明を使用する時は、図１１で示すように、ガムテープ（３３）の粘着面側を上に向けて、テープホルダー（３１）に嵌めてテープカバー（３２）を付けてセットしたテープホルダー軸（３０）を左右のカッティング機構側板（１３）に設けたテープホルダー軸受け溝（１５）に嵌め込む。このようにして、ガムテープの交換・取り付けが簡単に行える。
そして次ぎにテープ押さえ板（１０）をガムテープ（３３）の上に置くが，このテープ押さえ板（１０）に一端を固定した引きバネ（１１）のもう一端はカッティング刃台（１４）に設けたバネ接続板（２４）のバネ接続孔（２５）に接続してあり。この引きバネ（１１）の作用で互いは強く引きつけ合い、テープ押さえ板（１０）はガムテープ（３３）を抑え、動き（回転）を調節し、カッティング刃台（１４）は後端が上方へ引っ張られて、前端の尖角カッティング刃（２１）の刃先は下方へと向い（押し付けられ）、刃先の突き出る方向と力を調節する。
次ぎに、ガムテープ（３３）を引き出して、前後に並設したテープ送りローラー（１８）の間を挟み通してゆくが、テープ送りローラー（１８）は送りローラー留め管（１９）により横振れせずに回転し、ガムテープ（３３）もテープ送りガイド（２０）に挟まれて横振れせずに真っ直ぐと通る。ガムテープ（３３）の先端片を貼り付けローラー（７）の下に敷くようにする。その時、２つある把持部（１７）の内のどちらかを握り、親指で近々のテープ押さえ板軸（９）を上から押さえつけて持つ。そして、手でしっかり押さえながら前に押し進めてゆくと、貼り付けローラー（７）が回転しガムテープ（３３）を貼り付けてゆき、その動きに伴いガムテープ（３３）は引き出され、後側のテープ送りガイド（２０）付きテープ送りローラー（１８）と前側のテープ送りローラー（１８）の間を通り抜けて、貼り付けローラー（７）の下にどんどんと送られる。この時、前側のテープ送りローラー（１８）の表面はテープ（３３）の粘着面と接する事になるが、粘着面に接着しない材質のシリコン等で形成されているのでスムーズにテープを送り出せる。貼り終える丁度良い位置（テープをカットするところ）で止めるが、その見当のつけかたは、上から見て前後に並設したテープ送りローラー（１８）の中間、即ち、ガムテープ（３３）が挟まっている下辺りが丁度良いカッティング箇所となる。そこで、テープ押さえ板軸（９）を押さえていた親指を離し、図１２で示すように、把持部（１７）を握ったまま押し下げると、カッティング機構（２）の前部先端が上がり、ガムテープ（３３）がテープ送りローラー（１８）と貼り付けローラー（７）の間でピンと張り切った瞬間（同時）にカッティング刃受け軸（８）に尖端を預けていた尖角カッティング刃（２１）が、張り切ったテープ（３３）の下辺り、丁度、テープ留め軸（６）のすぐ下に突き出て、図１３で示すように、ガムテープ（３３）はカットされる。
そうして、把持部（１７）を上に持ち上げるとカッティング機構（２）の前部先端が下がり、同時に、尖角カッティング刃（２１）は引っ込み元に戻る。
こうして、カットされた後のガムテープ（３３）は図１４で示すように、挟まれている前後のテープ送りローラー（１８）の間から伸びて、丁度、貼り付けローラー（７）の下辺りにくる長さ（最初の状態）であるように調節してカットされているが、ガムテープ（３３）は張り切った状態でカットされるので、切れた瞬間、テープ（３３）の切れ端片は跳ね上がり、テープ留め軸（６）に貼りつき留まる。こうした一連の動きで貼り付けが終わるが、再度、貼り付けを行うのなら、テープ留め軸（６）に貼り付いたガムテープ（３３）を外せば、自然とテープ（３３）は貼り付けローラー（７）の下方にきて最初の起動態勢となり、テープを貼り付けてカットをする作業を連続して行う事ができる。
又、図９で示す分割貼りガイド部（２６）の使用法は、図１０で示すように、ガムテープ仕様のテープカッターの貼り付け機構（１）に設けた分割貼りガイド部取付け孔（５）にストッパー部（２９）を外側にして分割板取り付け基盤（２７）を嵌め込み、図１５で示すように、ダンボール箱（３４）の角下側面に分割ガイド板（２８）を押し当てながら前に押してガムテープ（３３）を貼り付けてゆくと、図１６で示すように、ガムテープ（３３）は分割ガイド板（２８）に区切られた幅で貼りついてゆく。あとは、角からはみ出ている部分を指で擦り付けて直角にガムテープ（３３）を貼ることができる。
以上がガムテープ仕様の分割貼りもできるテープカッターの説明である。
次ぎに、本発明のセロテープ仕様のテープカッターの実施の形態を説明する。
ガムテープ仕様をセロテープサイズに即したサイズで形設をしたセロテープ仕様のテープカッターの一例を図２３で示すが、セロテープ仕様はカッター刃とテープ送りローラー等がガムテープ仕様と若干異なる。そのことを、図１７で示すような形で形設した同様のセロテープ仕様テープカッターで説明をする。
図１９で示すように、セロテープカッティング機構側板（４４）に設けたテープホルダー軸孔（４５）に図１８で示すセロテープ貼り付け機構側板（３８）に設けたテープホルダー軸（４０）を軸支して、図１７・図２０で示すようにセロテープ貼り付け機構（３６）に納まったセロテープカッティング機構（３７）は自在に回転を成し、図１９で示すように、セロテープカッティング機構（３７）に設けた尖角カッティング二段刃（４６）は図２１で示すように２枚の尖角カッティング刃（２１）の間に厚さが数ミリで刃の幅に相応した幅の長方形状板を尖角カッティング刃（２１）の尖端より数センチ奥に入った所から挟んで形設した尖角カッティング二段刃（４６）であり、前端に設けた２枚の尖角カッティング刃（２１）の後方の後端域に二段刃軸孔（４７）と引きバネ接続孔（４３）を形設し、二段刃軸孔（４７）を介して尖角カッティング二段刃（４６）はセロテープカッティング機構側板（４４）に軸支して自在に回転を成し、引きバネ接続孔（４３）に一端を接続した引きバネのもう一端を図２０で示すように、セロテープ貼り付け機構側板（３８）に設けた引きバネ接続軸（４２）に接続する。
又、図２２で示すように、前後（上下）に並設したセロテープ送りローラーの、後側のテープ留めシート付送りローラー（４８）はセロテープカッティング機構側板（４４）に設けた軸に固定して動かず（回転せず）、このローラー（４８）表面はセロテープ（５１）表面が接しても滑るようなプラスチックや金属等の材質で形成を成すが、このローラー（４８）に取り付けるテープ留めシート（５０）はセロテープ（５１）の表面と接しない表面部分に設けるのであり、このテープ留めシート（５０）はセロテープ（５１）の幅に相応した幅で薄い布のようなゴムシート等の材質で形成し、並設したローラーの間からテープ（５１）が出てくる少し手前、丁度、テープ留めシート付送りローラー（４８）下部の中央辺りから伸びて隣のセロテープ送りローラー（４９）下部の表面に接する長さで形設し、外力が加われば広がり（離れ）、止まれば元（接触する）に戻り、又、前側のセロテープ送りローラー（４９）はセロテープカッティング機構側板（４４）に軸支して自在に回転を成し、ローラー（４９）の表面はセロテープ（５１）裏面の粘着部と接着しないシリコン材等の材質で形成を成す。
又、セロテープカッティング機構（３７）に設けた、セロテープ送りローラー（４９）形設部上方の左右の外壁面に設けた軸支孔に軸支した左右平行な取り付け軸が、セロテープ貼り付けローラー（３９）の高さの中程まで伸び下りて、先端の両側を橋渡しした形のテープ先端片押さえ（５２）をセロテープ貼り付けローラー（３９）と接して設け、これにより、カットして残ったセロテープ（５１）先端片をしっかり押さえて安定させるので、テープ（５１）の先端片は常にセロテープ貼り付けローラー（３９）の下にあり、続けて貼り付けを行える。
又、テープ先端片押さえ（５２）は細い円筒形で表面はセロテープの粘着面と接着しないシリコン材等の材質で形成を成す。
【符号の説明】
【０００８】１  貼り付け機構、２  カッティング機構、３  底板、４  貼り付け機構側板、
５  分割貼りガイド部取り付け孔、６  テープ留め軸、７  貼り付けローラー、
８  カッティング刃受け軸、９  テープ押さえ板軸、１０  テープ押さえ板、
１１  引きバネ、１２  軸支孔、１３  カッティング機構側板、
１４  カッティング刃台、１５  テープホルダー軸受け溝
１６  把持部接続板、１７  把持部、１８  テープ送りローラー、
１９  送りローラー留め管、２０  テープ送りガイド、
２１  尖角カッティング刃、２２  刃台取り付け部、
２３  カッティング刃台軸孔、２４  バネ接続板、２５  バネ接続孔、
２６  分割貼りガイド部、２７  分割板取り付け基盤、
２８  分割ガイド板、２９  ストッパー部、３０  テープホルダー軸、
３１  テープホルダー、３２  テープカバー、３３  ガムテープ、
３４  ダンボール箱、
３５  セロテープ仕様テープカッター、３６  セロテープ貼り付け機構、
３７  セロテープカッティング機構、３８  セロテープ貼り付け機構側板、
３９  セロテープ貼り付けローラー、４０  テープホルダー軸、
４１  カッティング刃受け軸、４２  引きバネ接続軸、
４３  引きバネ接続孔、４４  セロテープカッティング機構側板、
４５  テープホルダー軸孔、４６  尖角カッティング二段刃、
４７  二段刃軸孔、４８  テープ留めシート付送りローラー、
４９  セロテープ送りローラー、５０  テープ留めシート、
５１  セロテープ、５２  テープ先端片押さえ、
【図１】
2017036147.tif 000003
【図２】
2017036147.tif 000004
【図３】
2017036147.tif 000005
【図４】
2017036147.tif 000006
【図５】
2017036147.tif 000007
【図６】
2017036147.tif 000008
【図７】
2017036147.tif 000009
【図８】
2017036147.tif 000010
【図９】
2017036147.tif 000011
【図１０】
2017036147.tif 000012
【図１１】
2017036147.tif 000013
【図１２】
2017036147.tif 000014
【図１３】
2017036147.tif 000015
【図１４】
2017036147.tif 000016
【図１５】
2017036147.tif 000017
【図１６】
2017036147.tif 000018
【図１７】
2017036147.tif 000019
【図１８】
2017036147.tif 000020
【図１９】
2017036147.tif 000021
【図２０】
2017036147.tif 000022
【図２１】
2017036147.tif 000023
【図２２】
2017036147.tif 000024
【図２３】
2017036147.tif 000025